(57)【要約】液体リングポンプは、ポンプヘッドに連結されたポートプレートを備える。ポートプレートは、第１領域の第１端と第２領域の第２端を備えた開口を有する。第１領域は、ポートプレートの第１面を構成する面の一部に開口する。第２領域は、第２端で、ポートプレート４０のシャフト保持開口に開口する。第１及び第２領域は連続している。第１領域は、ポートプレートの出口の閉鎖縁と、ポートプレートの入口の案内縁の間で角度を付ける。第１領域から入口の案内縁までの測定長さは、第１領域から出口の案内縁までの測定長さよりも短い。第１領域は出口又は入口には開口していない。
2015532966.tif 000002
【特許請求の範囲】
【請求項１】
ポンプヘッドと、
前記ポンプヘッドに連結されるポートプレートであって、シャフト保持開口を区画する側壁を有し、前記シャフト保持開口は前記ポートプレートに開口し、入口と出口を形成され、前記入口は閉鎖縁と案内縁を有し、前記出口は閉鎖縁と案内縁を有し、前記ポートプレートは、第１領域の第１端と第２領域の第２端とを有し、前記第１領域はポートプレートの第１面を構成する面の一部に開口し、前記第２領域は前記第２端で前記シャフト保持開口に開口し、前記第１領域と前記第２領域は連続し、前記第１領域は出口の閉鎖縁と入口の閉鎖縁の間に角度を持たせ、第１領域から入口の案内縁までの測定長さは前記第１領域から出口の案内縁までの測定長さよりも短く、前記測定長さは直線に沿って測定され、前記第１領域は出口又は入口には開口しないポートプレートと、
前記シャフト保持開口に配置され、前記シャフト保持開口はシャフトを前記ポートプレートに対して回転可能とし、前記側壁と、前記側壁とは径方向に反対側の前記シャフトの一部との間にスペースを有するロータシャフトと、
前記ロータシャフトに固定され、中心軸の周囲に配置した複数のブレードを有し、前記各ブレードは、少なくとも２つの他のブレードに隣接し、前記複数のブレードは隣接する複数のブレード対を構成し、各ブレード対の間はバケットであり、前記隣接ブレードの間のバケットは複数のバケットを構成し、前記シャフトの回転により前記ロータと複数のバケットが、前記入口の案内縁と前記出口の閉鎖縁の間の位置への回転方向に回転するロータと、
を備え、
前記バケットの第１バケットは、前記入口の案内縁と前記出口の閉鎖縁の間の位置へと回転し、前記バケットは前記開口の第１領域に重なり、前記開口の第１領域はバケットに開口し、前記位置でのバケットは入口及び出口に重なることなく案内縁と閉鎖縁の間に位置することを特徴とする液体リングポンプ。
【請求項２】
前記第１バケットは、前記位置に、バケットの内方境界面を明確にする表面を有し、前記第１領域は前記バケットの内方境界面の外径側に延びていることを特徴とする請求項１に記載の液体リングポンプ。
【請求項３】
前記ロータはハブを有し、前記ハブは外径対向面を有し、前記外径対向面の一部は前記バケットの内方境界面を構成し、前記ハブはポートプレートの第１面に対向する軸対向面を有し、前記第２領域はハブの軸対向面の一部に重なることを特徴とする請求項２に記載の液体リングポンプ。
【請求項４】
前記第２領域は第１領域の内径側に位置することを特徴とする請求項２に記載の液体リングポンプ。
【請求項５】
前記開口の第１側壁と第２側壁の間の中心軸から測定される角距離は、中心軸から測定される、第１バケットの後端ブレードと案内ブレードのベースの間の角距離であり、各ブレードのベースは、各第１ブレードが前記内方境界面の一部から外径に延びる位置にあり、
角距離は、半径方向で、ハブの外径面と内方円周面の径方向中間の角側壁の位置の側壁間で測定され、前記内方円周面はロータシャフトが配置される開口を構成することを特徴とする請求項２に記載の液体リングポンプ。
【請求項６】
前記開口の中心線から閉鎖縁までの最短角距離は、前記中心線が中心軸から半径方向に図示されるとき、角ブレードのベースで測定されるバケットの後端ブレードと案内ブレードの間の角距離の１／２であり、前記角距離は中心軸の位置から測定されることを特徴とする請求項２に記載の液体リングポンプ。
【請求項７】
前記第２領域は第２端で側壁を介して側壁とシャフトの間のスペースに開口することを特徴とする請求項２に記載の液体リングポンプ。
【請求項８】
さらに、前記ポートプレートを介して開口する開口を構成し、前記開口は入口の閉鎖縁と出口の案内縁の間に角度を持たせるポートプレートの一部と、
前記開口の全ての部分から入口の閉鎖縁まで測定される長さであって、開口の全ての部分から出口の閉鎖縁まで測定される長さよりも短く、直線に沿って測定さる長さと、
を備え、
前記複数のバケットの回転により、入口の閉鎖縁と出口の案内縁の間の位置に向かって回転方向に前記バケットの第２バケットを回転させ、
前記バケットの第２バケットは、入口の閉鎖縁と出口の案内縁の間の位置に向かって回転し、前記バケットは前記開口に重なり、前記開口は前記バケットに開口し、
前記第１バケットは第１領域に重なる位置に位置することを特徴とする請求項７に記載の液体リングポンプ。
【請求項９】
前記開口は、第１領域及び第２領域、側壁とシャフトの間のスペース、及び、入口の閉鎖縁と出口の案内縁の間の開口を有し、圧縮流体溝を構成し、
前記液体リングポンプが運転速度で作動するとき、圧縮流体が、入口の案内溝と出口の閉鎖溝の間の位置で、第１バケットから第１領域の圧縮流体溝に入り、
ある量の圧縮流体が、入口の案内縁と出口の閉鎖縁の間の位置で第１バケットから前記第１領域の圧縮流体溝に入り、
前記第１領域の圧縮流体溝に入ったある量の圧縮流体は、入口の閉鎖縁と出口の案内縁の間の位置の、第２バケット内の開口で前記圧縮流体溝を出ることを特徴とする請求項８に記載の液体リングポンプ。
【請求項１０】
前記側壁は、外径に延びる切欠きを構成することを特徴とする請求項８に記載の液体リングポンプ。
【請求項１１】
さらに、前記液体リングポンプが運転速度で作動しているとき、リングの内面を明確にする面を有する回転液体リングと、
前記内方境界面と液体リングの内面の一部との間のスペースであって、入口と出口の間の位置でバケットを明確にする案内ブレードと後端ブレードの間に角度を付け、ある容量の圧縮流体チャンバを構成するスペースと、
を備え、
前記第１領域は、圧縮流体体チャンバに重なると共に開口することを特徴とする請求項２に記載の液体リングポンプ。
【請求項１２】
ポートプレートに開口するシャフト保持開口を区画する側壁と、
前記ポートプレートに形成され、閉鎖縁と案内縁を有する入口、及び、閉鎖縁と案内縁を有する出口と、
前記ポートプレートに形成された開口であって、第１領域に第１端を有し、第２領域に第２端を有する開口と、
を備え、
前記第１領域は、ポートプレートの第１面を構成する面の一部に開口し、
前記第２領域は、第２端で、シャフト保持開口に開口し、
前記第１領域は、出口の閉鎖縁と入口の案内縁の間に角度を付けて、第１領域から入口の案内縁までの測定長さが、第１領域から出口の案内領域までの測定長さよりも短く、前記測定長さは直線に沿って測定され、
前記第１領域は、入口又は出口には開口せず、前記第１領域及び第２領域は連続していることを特徴とする液体リングポンプのポートプレート。
【請求項１３】
さらに、入口の閉鎖縁と出口の案内縁の間に角度を付ける開口を構成するポートプレートの一部を備え、
前記開口のいずれかの部位から入口の閉鎖縁までの測定長さが、開口のいずれかの部位から出口の閉鎖縁までの開口長さよりも短く、前記長さが直線に沿って測定されることを特徴とする請求項１２に記載のポートプレート。
【請求項１４】
前記側壁は外径に延びる切欠きを構成することを特徴とする請求項１２に記載のポートプレート。
【請求項１５】
液体リングポンプのポンプヘッドからポートプレートを取り除くステップと、
前記ポートプレートに開口するシャフト保持開口を構成する側壁と、
前記ポートプレートに形成され、閉鎖縁と案内縁を有する入口、及び、閉鎖縁及び案内縁を有する出口と、
前記ポートプレートに形成され、第１領域の第１端と第２領域の第２端を有する開口と、
を有するポートプレートを、液体リングポンプに装着するステップと、
を備え、
前記第１領域は、ポートプレートの第１面を構成する表面の一部に開口し、
前記第２領域は、前記第２端で、シャフト保持開口に開口し、
前記第１領域は、出口の閉鎖縁と入口の案内縁の間に角度を付け、第１領域から入口の案内縁までの測定長さは、第１領域から出口の案内縁までの測定長さよりも短く、前記測定長さは直線に沿って測定され、
前記第１領域は出口又は入口に開口せず、前記第１領域及び第２領域は連続していることを特徴とする、平坦面を有する液体リングポンプの動作を改良する方法。
【請求項１６】
さらに、シャフト保持開口にロータシャフトを挿入するステップを備えたことを特徴とする請求項１５に記載の平坦面を有する液体リングポンプの動作を改良する方法。
【請求項１７】
さらに、前記ポートプレートに対してシャフトにロータを方向付けるステップを備え、
前記シャフトの回転により、ロータと、中心軸の回りにロータのブレードによって形成された複数のバケットとを回転させ、
バケットの回転により、入口の案内縁と出口の閉鎖縁の間の位置に向かう回転方向に第１バケットを回転させ、
前記第１バケットは、入口の案内縁と出口の閉鎖縁の間の位置に向かって回転し、バケットが開口の第１領域に重なり、開口の第１領域がバケットに開口することを特徴とする請求項１６に記載の平坦面を有する液体リングポンプの動作を改良する方法。
【発明の詳細な説明】
【技術分野】
【０００１】
本発明は、バケットがポートプレートの出口の閉鎖縁を通過して清掃された後、バケットがポートプレートの入口に開口する前に、ロータのバケットに捕捉されたガスを除去する通路を有する液体リングポンプに関する。通路は、ポートプレートの出口の閉鎖縁とポートプレートの入口の案内縁の間である角度でポートプレート内に存在する。
【背景技術】
【０００２】
液体リングポンプが公知である。一般に、液体リングポンプは、ハウジングと、ハウジング内のロータと、ロータが固定されたハウジング内に延びるシャフトと、シャフトに連結されたモータとを備える。ロータが回転しているとき、ロータブレードが作動液又は吸排液に作用し、シャフトに対して径方向に拡縮する偏心リングを構成するように、駆動中、ハウジングは部分的に作動液で満たされる。その液体がシャフトから放射状に広がっていると、ロータ組立品（バケット）の隣接するロータブレードの間のスペースでの圧力が抑制される結果、ガス取込ゾーンすなわち低圧ゾーンを構成する。液体がシャフトに向かって集中しているとき、隣接するロータブレード（バケット）の間のスペースで圧力が増大する結果、ガス圧縮ゾーンを構成する。
【０００３】
米国特許第4,850,808号公報には、円錐状又は円筒状のポート液体リングポンプで、ポンプの圧縮ゾーンから取込ゾーンにほかの状態に搬送される圧縮ガスは、ポート部材の第１開口を介して、ロータシャフトとポート部材の間の隙間を通過して、その隙間からポート部材の第２開口を介して圧縮ゾーンの初期部分へと流動することにより、取込ゾーンをバイパスする点が記載されている。
【０００４】
米国特許第5,769,609号公報には、圧縮ハウジングに搭載されたロータを有する液リングコンプレッサで、ロータが圧縮ハウジングの中心軸に対して偏心して設けられている点が記載されている。少なくとも１つの制御ディスクはロータの終端面の１つの配置されている。制御ディスクには、圧縮された媒体を注入及び排出するための吸引孔及び圧力孔がそれぞれ設けられている。また制御ディスクはロータのハブによって放射状に覆われた領域に包囲供給溝を有する。作動液は注入開口に案内され、供給溝へと導かれ、制御ディスクとロータハブの間の軸方向の隙間をシールする。閉鎖要素は、供給溝内へと放射状に突出し、注入開口に入る作動液の圧力とロータセル内の圧力の間で、特異なより大きな圧力を有する注入開口側に設けられている。閉鎖要素は、軸方向の隙間のシール性を高める。
【０００５】
米国特許第6,354,808号公報には、ロータの端部で環状凹部内に延びるポート構造を有するタイプの液体リングポンプが、相対的に過酷なサービス要求、又は、実質的にそれほどでもないサービス要求のいずれか一方を有するポンプを製造するために使用できるように設計された幾つかの部品を有する点が記載されている。これらの部品の幾つかは、最終ポンプ構造のいずれでも、ほぼ同様な構成とすることができる。これらの他の部品は、各最終ポンプ構造にそれらを適合させるために、その後の幾らかの加工でのみ実質的に相違する鋳造品であってもよい。最終ポンプ構造の幾つかは、より小型のメカニカルシール構造、又は、シール構造に液体を供給するための改良された構造を有している。
【０００６】
国際公開第2010/071651号公報は、一部に溝を有する液体リングポンプに関する。溝はロータブレードによって構成された第１バケット内に開口する第１開口を有する。第１開口は、入口ポートの閉鎖縁と排出ポートの案内縁の間のアーチ状通路に沿って配置されている。入口ポート及び排出ポートは液体リングポンプのポートプレート内に位置する。溝は、ロータブレードによって構成された第２バケット内に開口する第２開口を有する。第２開口は、排出ポートの閉鎖縁と入口ポートの案内縁の間のアーチ状通路に位置する。液体通路は、第１及び第２開口を連通する。溝を構成する少なくとも液体リングポンプの一部は、円筒キャビティに設けられ、キャビティは軸方向に延びる、多数のロータブレード端から構成されている。溝を設けた液体リングポンプの一部は、取り外し可能なシリンダとすることができる。溝は、ポンプが駆動モードにあるとき、ポートプレートの排出ポート及び入口ポートから分離して閉鎖されている。
【先行技術文献】
【特許文献】
【０００７】
【特許文献１】米国特許第4,850,808号公報
【特許文献２】米国特許第5,769,609号公報
【特許文献３】米国特許第6,354,808号公報
【特許文献４】国際公開第2010/071651号公報
【発明の概要】
【課題を解決するための手段】
【０００８】
第１の態様では、本発明は、液体リングポンプの部分的な組み合わせによって具現化される。ポンプはポンプヘッドを有する。ポンプヘッドにはポートプレートが連結されている。ポートプレートはシャフト保持開口を形成される側壁を有する。側壁と、側壁とは径方向反対側のシャフトの一部との間にはスペースがある。シャフトにはロータが固定されている。ロータは、その中心軸回りに配置される複数のブレードを有する。各ブレードは少なくとも２つが隣接している。複数のブレードは複数の隣接ブレード対を構成する。各隣接ブレード対の間にはバケットがある。隣接ブレードは、多数のバケットを構成する。シャフト保持開口でのシャフトの回転により、中心軸の回りをロータと多数のバケットが回転する。
【０００９】
ポートプレートには入口と出口とが形成されている。入口は閉鎖縁と案内縁とを有する。出口は、第１領域の第１端と第２領域の第２端とを備えた開口を有する。第１領域は、ポートプレートの第１面を構成する表面の一部に開口する。第２領域は、第２端でシャフト保持開口に開口する。第１領域及び第２領域は連続している。第１領域は、出口の閉鎖縁と入口の案内縁との間に角度を持たせる。第１領域から入口の案内縁までの測定長さは、第１領域から出口の案内縁までの測定長さよりも短い。長さは直線に沿って測定される。第１領域は出口又は入口には開口しない。
【００１０】
バケットの回転により、入口の案内縁と出口の閉鎖縁の間のある位置での回転方向に第１のバケットが回転する。前記第１のバケットが、入口の案内縁と出口の閉鎖縁との間の位置に向かって回転するとき、前記バケットは開口の第１領域に重なり、前記開口の第１領域は前記バケットに開口し、前記位置でのバケットは、入口と出口に重なることなく案内縁と閉鎖縁の間に位置する。
【図面の簡単な説明】
【００１１】
【図１】本発明を具現化する液体リングポンプの簡易部分除去断面図であり、シャフトの中心軸の長手方向に沿った断面図である。
【図２】図１に示す液体リングポンプの主要部の分解斜視図であり、ロータ及びシャフトは４ａ−４ａ線断面図であり、液体リングポンプのヘッダの第１面が見えている。
【図３】図２に示すロータの等角図であり、ロータの面が見えており、ロータ組み付けられたとき、ロータの面はバルブポートプレートとヘッダの第１面とに対向している。
【図４ａ】図１の液体リングポンプの概略断面図であり、断面はロータ、ポートプレート及びヘッダの第１面内に臨む垂直なポンプシャフトの４ａ−４ａ線断面であり、ロータの一部がハブによって隠れたポートプレートの一部を示すように破断されると共に、シャフトとハブによって隠れたポートプレートの側壁との間の空間を示している。
【図４ｂ】図４ａの４ｂで示す部分の拡大詳細図である。
【図４ｃ】図４ａ中、４ｃで示した詳細の拡大図であり、細線については省略している。
【図５】矢印が空気の流れを図示していることを除き、図４と同様であり、空気の流れはガス排出溝を通過し、ロータは破断されてはいない。
【図６ａ】図５に示す組立品の不規則な断面図であり、断面は空気を排出するポートプレートの通路の半径長さ方向に延び、シャフト及びロータの中心軸と平行に延びている。
【図６ｂ】図６ａの６ｂで示す部分の拡大詳細図である。
【図７ａ】図２に示すポートプレートの第１面内を見た斜視図であり、第１面はロータに対向している。
【図７ｂ】図７ａの７ｂに示される詳細拡大図であり、等倍で第１面を見ている。
【図７ｃ】図７ａの７ｃで示す詳細拡大図であり、第１面を見ている。
【図８】図７の第２面を見たポートプレートの斜視図であり、第２面はポンプヘッドに対向している。
【発明を実施するための形態】
【００１２】
本発明の実施形態は多くの異なる形態を取ることができるが、その実施形態は図面に示され、ここでは本発明の開示が本発明の原理の例として考慮されるべきであるという理解のもと、詳細に説明されており、本発明を図示された特定の実施形態に限定することを意図していない。
【００１３】
後述する説明では本発明を記載する際、用語「空気」を使用する。用語「空気」は、周囲雰囲気と、本発明を具体化する液体リングポンプが使用される適用例に応じて生成される空気を含む。また本発明は、ガスと、空気及びガスの混合物に対して使用することができる。
【００１４】
特に図面において、平坦面を有する液体リングポンプ２０が示されている。ポンプ２０はロータ２２を有する。ロータ２２は、中心領域の周囲に配置された複数のブレード２４を有する。特に、それらはロータの中心軸２６を中心とする周方向に配置されている。ブレードは互いに等間隔で配置されている。ブレードはハブ８６の面８８から延びている。ロータの中心軸、ロータハブの中心軸、シャフトの中心軸及びポートプレート４０のシャフト保持開口の中心軸が同一の広がりを持つ軸２６として図示されている。ブレード２４は、少なくとも２つが隣接するように配置されている。隣接するブレード対の間はバケット２８と称することができる空間である。合計１９のバケット２８がある。各バケットは、液体リングポンプが運転速度で作動しているとき、回転液体リングの内方リングを形成する面３０に対して、バケット２８の配向角度に依存して拡縮する容量を有する分離チャンバを構成する。面３０は、液体リングの内方境界を明確にする。その境界は放射状であってもよい。液体リング面３０は、各バケット２８に形成した各チャンバ３４の外方境界を構成する。各チャンバ３４及びバケットの内方境界はハブ８６の外表面８８によって構成される。その表面は外径側である。各チャンバ３４は圧縮流体保持チャンバ３４と呼ぶことができる。１９のチャンバがある。バケット３２８の１９のチャンバ３３４及びバケット２８の１９のチャンバは、スタート地点Ａに位置する。バケット３２はある量回転し、ポートプレート３０の空気入口３８に重なって清掃する。バケット３２８が入口３８に重なるように回転するので、回転液体リングの内面を形成する面３０が、ロータ２２の中心軸２６から第１半径方向に放射状に広がる。面３０が放射状に広がっているので、入口に重なるように回転するバケット３２８によって形成されるチャンバ３３４の容量は拡大する。バケットが入口によって回転されるので、チャンバ３３４は入口３８に開口し、そして重なるので、その結果空気がバケットによって形成されるチャンバの拡張する容量内に流れ込む。バケット３２８´とその拡張チャンバ３３４´は、入口３８によって回転するため、バケット３２８と入口３８に重なるチャンバ３３４の具体例である。バケット３２８´及びチャンバ３３４´は、１９のバケット２８と１９のチャンバ３４の一部である。入口３８によって回転して清掃するバケット３２８がその方向３６に回転し続けるので、面３０はロータの中心軸２６から放射状に広がり続ける。面３０が広がるので、バケット内に形成されるチャンバの容量は増大し続ける。バケット３２８´´とそのチャンバ３３４´´は、チャンバが容量を増大させているので、入口３８を通過して清掃したバケット３２８の具体例である。バケット３２８´´とチャンバ３３４´´は、１９のバケット２８と１９のチャンバ３４の一部である。バケットは方向３６に回転するので、ポートプレートの出口４４に重なる。液体リングの面３０は第２半径方向４３のロータの中心軸２６に向かって集まる。チャンバの容量が増大する。またチャンバはポートプレートの出口４４に開口して重なる。したがって、バケットのチャンバに捕捉された空気は、ポートプレート出口４４と液体リングポンプ出口４６を介してバケットのチャンバを出る。バケット３２８´´´とチャンバ３３４´´´は、チャンバがポートプレート入口４４に開口して重なるので、バケット３２８とそのチャンバ３３４の具体例である。
【００１５】
入口４４を通過するバケット３２８の回転中、通常、面３０はバケットのチャンバ３３４の容量を完全に収縮させるのに十分となるようには内径方向に集まらない。バケット４２８は、この位置でのバケット３２８の具体例である。この位置での非収縮チャンバ３３４が４３４として示されている。図示されるように、出口４４の閉鎖縁４４ａと入口３８の開放縁３８ａの間の角及び円周ポイント４８では、面３０は、バケット４２８の内径境界を明確にする面５０とは接触しない。バケット４２８として示すバケット３２８は、ポイント４８に重なるように回転する。バケット３２８は、ポイント４８に重なっているので、バケット４２８として示されている。これにより、ポイント４８には、４３４で示され、面３０と面５０の間に位置する開放スペースが存在する。開放スペース４３４は、案内ブレード５２と後端ブレード５４の間で、角度と周方向にバケット４２８を明確にする。また開放スペース４３４は内方バケットの面５０と面３０間に位置する。これにより、開放スペースはバケット４２８のチャンバ４３４の容量を構成する。チャンバ４３４の容量は、バケット３２８が出口４４を通過して回転した後、入口３８に重なるように回転する前に於けるバケット３２８のチャンバ３３４の容量である。上述のように、この位置のバケット３２８はバケット４２８として示されている。バケット４２８は、前記方向では、入口３８又は出口４４のいずれにも重ならない。バケット４２８は出口又は入口には開口しない。バケットは入口３８と出口４４の間に位置する。特にバケットは出口４４の閉鎖縁４４ａと入口３８の案内縁３８ａの間に位置する。上記方向では、バケット４２８の後端ブレード５４の先端５４ａはランドラインに位置する。ランドライン位置とはロータブレードの先端が、軸２６を中心としてブレードが３６０°回転する際に、ハウジング５６の内面５６ａに最も接近するときの位置である。また前述のバケット４２８の位置では、バケット４２８の案内ブレード５２２と後端ブレード５４は、順次回転方向３６に回転して、出口４４を通過する前に、入口３８の案内縁３８ａと入口３８とを通過する。この結果、後端ブレード５４の先端５４ａと出口４４の閉鎖縁４４ａの長さは、後端ブレード５４の先端５４ａと出口４４の案内縁４４ｂの長さよりも短くなる。案内ブレード５２の先端５２ａと入口３８の案内縁３８ａの長さは、案内ブレード５２の先端５２ａと入口３８の閉鎖縁３８ｂの長さよりも短くなる。これらの測定長さは直線距離である。また上述の位置では、バケット４２８の後端ブレード５４は、バケット４２８の後端を構成する案内面５４ｂを有する。案内面５４ｂは、方向３６に回転して出口４４の閉鎖縁４４ａを通過する。これにより、案内面５４ｂは出口４４の閉鎖縁４４ａと入口の案内縁３８ａの間に位置する。バケット４２８の案内ブレード５２は、入口３８に重なるように方向３６には回転していない。案内ブレードは、出口４４の閉鎖縁４４ａと入口３８の案内縁３８ａの間に位置する。
【００１６】
溝又は通路は、第１、第２及び第３溝部又は通路を有する。第１溝部５８は、ポートプレート４０に形成されている。第１溝部は、ポートプレート４０の第１面７８を形成する面７８ａの一部に開口する開口を有する。開口５９は、ポートプレートには開口していない。開口は第１溝部の開口を形成する。開口は、第１溝部の第１端６０から第２端６２に測定されるように、第１溝部の全長に延びる側方開口である。第２端６２は第１端６０の内方にある。内方はポートプレート開口１００に向いている。それは開口１００の軸に対する半径方向である。第１面７８ａの一部に開口する開口５９の少なくとも一部はバケット４２８に重なる。重なり部は、第１溝部５８の第１領域５９ａと呼ぶことができ、バケット４２８のチャンバ４３４内に開口する。第１領域５９ａはチャンバ４３４に重なる。これにより、第１領域５９ａはポートプレートの第１面を構成する面７８ａの一部に開口する。バケット４２８は、液体リングポンプ２０の駆動チャンバ８０の高圧力ゾーンである。チャンバ４３４に捕捉された圧縮流体、この例では空気は、チャンバ４３４を出て、開口５９特に第１ゾーン５９ａで第１溝５８に入る。空気は第１ゾーンに入り、第１ゾーン５９ａを流れる。空気は溝部５８、６６及び７６を流れる。空気は溝を出て、入口３８の閉鎖縁３８ｂと出口４４の案内縁４４ｂの間にあるバケット５２８のチャンバ５３４に至る。バケット５２８は、バケット４２８に対して液体リングポンプの駆動チャンバ８０の低圧ゾーンにある。バケットチャンバ４３４内の圧力はバケットチャンバ５３４内の圧力よりも大きい。バケット５２８及びチャンバ５３４は１９のバケット２８とチャンバ３４の１つである。これにより、バケット４２８に捕捉された空気は、方向３６への回転で運ばれる前に、溝が入口３８に重なり、バケット４２８を逃れる。チャンバ４３４に捕捉された空気が入口に運ばれることを回避できるようにすることにより、チャンバは、その容量が入口によって広がるように拡張される際、バケット３２８´とチャンバ３３４´によって示されるように、より吸引力を増大させて、より多くの空気を取り込むことができる。矢印１１０は、溝部５８、６６及び７６を流動する圧縮流体を示す。幾つかの場合、面３０は、容量０となるように境界面５０に接触し、チャンバ４３４を閉鎖する。またチャンバ４３４が容量０となり完全に潰れるようにバケット３２８の境界面に接触するようにしてもよい。これらの場合、リングは潰れない。
【００１７】
より詳細には、バケット５２８は、低圧ゾーンで、入口３８の閉鎖縁３８ｂを通過する回転方向３６に移動する案内面５２８ｂを有する後端ブレード５２８ｂを備え、バケットの案内ブレード５２８ａが十分に入口３８に重なるようには方向３６に回転しない。バケット５２８は入口３８と出口４４の間に位置する。それは入口３９又は出口４４には開口しないか、あるいは、重ならない。後端ブレード５２８ｂと案内ブレード５２８ａは入口の出口の間に位置する。バケット５２８の案内ブレード５２８ａと後端ブレード５２８ｂは、順次、回転方向３６に回転し、入口３８を通過して排気させる前に出口４４を通過して排気させる。後端ブレード５２８ｂの先端５２８´´と出口４４の案内縁４４ｂの長さは、後端ブレード５２８ｂ´´の先端５２８ｂから出口４４の閉鎖縁４４ａまでの長さよりも小さい。案内ブレード５２８ａの先端５２８ａ´と入口３８の閉鎖縁３８ｂの長さは、案内ブレード５２８ａの先端５２８ａ´から入口３８の案内縁３８ａまでの長さよりも小さい。これらの長さは直線距離である。
【００１８】
溝に戻って、空気は第１溝部５８を流動し、第２溝部６６へと流入する。続いて空気は、第２溝部６６から第３溝部７６へと流入する。空気は第３溝部７６を出て、開口を介してバケット５２８に入る。開口は、ポートプレート４０によって第１開口８２ａと第２開口８２ｂに分割されている。開口８２ａ、８２ｂは、第３溝部７６の終端部を形成する。これにより、溝５８、６６及び７６は開口８２ａ、８２ｂを介してバケット５２８内に開口する。開口８２ａ、８２ｂは、入口３８の閉鎖縁３８ｂと出口４４の案内縁４４ｂの間に角度を付け、周方向に離されている。開口８２ａ、８２ｂのいずれかの部位から入口の閉鎖縁３８ｂまでの測定長さは、開口８２ａ、８２ｂのいずれかの部位から出口４４の閉鎖縁４４ａまでの測定長さよりも短い。開口８２ａ、８２ｂのいずれかの部位から出口４４の案内縁４４ｂまでの測定長さは、開口８２ａ、８２ｂのいずれかの部位から入口３８の案内縁３８ａまでの長さよりも短い。これらの長さは直線長さである。開口８２ａ、８２ｂは入口３８又は出口４４に重なったり開放したりしない。開口は、バケット５２８の内径を明確にする内径境界面８４の外径である。内径境界面８４はハブの外径面８８の一部によって構成される。開口８２ａ、８２ｂはバケット５２８に開口し、バケットの後端縁５２８ｂと案内縁５２８ａの間に位置する。開口はバケット５２８に重なる。また開口８２ａ、８２ｂは、液体リングを形成するために使用される液体のための開口を提供し、ポンプの運転速度での駆動中に液体リングが回転する駆動チャンバ８０に液体を入れる。
【００１９】
第１領域５９ａと全ての開口５９は、出口４４の閉鎖縁４４ａと入口３８の案内縁３８ａの間に角度を付けて周方向に距離を空けられている。第１領域５９ａと開口５９のいずれかの部位から入口の案内縁３８ａまでの測定長さは、開口５９のいずれかの部位から出口の案内縁４４ｂまでの測定長さよりも短い。第１領域５９ａと開口５９のいずれかの部位から出口の閉鎖縁４４ａまでの測定長さは、開口５９のいずれかの部位から入口の閉鎖縁３８ａまでの測定長さよりも短い。これらの測定長さは直線距離である。第１領域と全開口５９は出口４４又は入口３８には開口しない。開口５９の一部は、バケット４２８の内径境界を明確にする面５０の軸制限端９０から軸方向に離れて隣接している。上述のように、バケット４２８の内方境界を明確にする面５０は、ハブの外径面８８の一部である。面５０及びハブの外径面８８は周方向に位置している。第１領域５９ａは径方向４２を外側に延びている。それは軸端９０の外径であり、その端部によって明確になる境界面５０の一部である。それは、全境界面５０とハブの外径面８８の外径側である。開口５９は、丸められ、Ｕ形状であり、第１端６０に鍔部を有する終端壁６１によって第１端６０で終端して閉鎖されている。第１端及び終端壁６１の少なくとも一部は境界面５０の外径側である。第１溝部の開口５９を明確にするポートプレート４０には、第１端６０を明確にする終端壁６１の一部よりも境界部５０から外径側に位置する部位はない。
【００２０】
境界面５０から殆ど外径側の第１領域の一部６０からロータ２２を閉鎖するハウジング５６の内面５６ａまでの測定長さはＸである。この長さは、ロータの中心軸２６から延びる半径に沿って測定される。軸端９０によっては明確になる境界面５０の一部からハウジング５６の内面５６ａまでの測定長さはＹである。この長さは、ロー＾他の中心軸２６から伸びる半径に沿って測定される。ＹはＸよりも大きい。ロータの中心軸２６から軸端９０によって明確になる境界面５０までの測定長さはＱである。制限部は５０ａで示されている。この距離は、ロータの軸２６から伸びる半径に沿って測定される。ロータの中心軸２６から第１領域の外径部６０までの測定長さはＲである。この距離は、ロータの軸２６から伸びる半径に沿って測定される。ＲはＱよりも大きい。ロータの中心軸２６から液体リングの内面３０までの測定長さはＺである。この長さは、距離Ｒが測定された半径に沿って測定される。ＺはＲよりも大きい。図示されるように、第１領域５９ａのいずれの部位も液体リングには開口していなかいか、あるいは、開口５９のいずれかの部位が液体リングに開口している。液体リング面が面５０に集まって接触するため、開口５９は液体リング内に開口してもよい。また開口５９ａの一部はリングを凹ませることなく、時々液体リング内に開口してもよい。
【００２１】
Ｐは、境界面５０に向かって殆どが外径側の第１領域の一部から測定される長さである。この長さは、ロータの中心軸２６から伸びる半径に沿って測定される。この長さは、中心軸から、出口４４の外径側壁４４ｃに沿って適合させた湾曲通路１１４までの長さよりも大きくはない。
【００２２】
外径側壁は外径方向４２で出口の境界を明確にするポートプレートの一部である。内径側壁４４ｄは、内径方向４３で出口領域を明確にする。
【００２３】
第１溝部５８は、第１領域５９ａから第２端６２まで内径側に延びる部位を有する。開口５９の第１端６０及び第２端６２は直線上に配置されている。第１領域５９ａの内方に延びる部位は第２領域５９ｂと呼ぶことができる開口を有する。第２領域５９ｂは第１領域５９ａに連続している。第２領域５９ｂは第２端６２に連続している。第２領域５９ｂは、境界面５９とハブの外径側に対向する面８８の内径側に位置する。第２領域５９ｂにはハブ８６の軸対向面９２の一部が重なっている。軸対向面９２はポートプレート４０の第１面７８ａに対向する。本構成では、ハブの内周面９４の内径側に延びるポートプレート２０の一部を介して開口するいずれかの部位を除く第２領域５９ｂの全体に軸対向面９２の一部が重なっている。第２領域５９ｂの全体は、ポートプレート４０の第１対向面７８ａの一部に開口する。第２領域５９ｂの全体は開口５９の一部を構成する。軸対向面９２の一部は、境界面５０による外径方向と内径対向円周ハブ面９４による内径方向とで丸くなっている。軸法億対向面９２の一部は第２領域５９ｂのベースを構成するポートプレート４０の面９６ａに対向する。面９６ａはベース面９６ａと呼ぶことができる。ベース面９６ａはポートプレートの第１面７８ａから離れ、ポートプレートの第２面７９に向かう軸方向で、第２領域を明確にする。またポートプレートの表面によって構成されるベース面９６ｂはポートプレートの第１面７８ａから離れ、ポートプレートの第２面７９に向かう軸方向で第１領域５９ａを明確にする。第１領域のベース面９６ｂと第２領域のベース面９６ａは連続している。ベースは、ポートプレートに対向するように、ポンプヘッドの一部によって構成することができる。
【００２４】
ベースは、第１溝部５８の単一のベース面を形成する。単一のベース面９６ａ、９６ｂは第１面７８ａから軸方向に距離を空けられ、ポートプレートの第１面７８ａから離れてポートプレートの第２面７９に向かう軸方向で開口５９を明確にする。開口５９は、第１溝部５９の第１側壁６３から第２側壁６４まで測定される幅を有する。この幅は、バケット４２８のほぼ１／４から１／２である。開口の幅は、側壁管の湾曲長さである。湾曲長さはロータの中心軸から延びる半径を有する。湾曲長さは、各側壁のある位置で側壁間に描かれる円弧に沿っている。すなわち、前記位置は、第１端６０の内径側であり、前記位置は、半径方向４３で、ハブ８６の境界面５０とハブの内方円周面９４の間の中間位置である。バケットの幅は、バケット４２８の終端ブレード５４と案内ブレード５２の間の円弧長さである。円弧長さは各ブレードの間に図示されている。ベースは、ブレードがまずハブによって構成される境界面５０から外径方向に延びる位置にある。円弧長さは、ロータの中心軸から延びる半径を有する。円弧長さは、面５０に沿う終端ブレード５４と案内ブレード５２の間に形成することができる。開口５９の側壁６３と側壁６４の間の角距離を他の方法で、中心軸２６から測定すると、後端ブレードのベースと中心軸から測定されるバケットの案内ブレードの間の角距離の１／４から１／２である。
【００２５】
中心線が中心軸から半径に沿って描かれているとき、開口５９の中心線から閉鎖縁までの最短角距離は、角ブレードのベースで測定されるバケットの後端ブレードと案内ブレード間の角距離の１／２である。角度の頂点は中心軸のある点である。
【００２６】
開口５９は、第１端６０から第２端６２までの直線として測定される長さを有する。バケット４２８は、案内ブレード５２のロータチップ５２ａから境界面５０までの直線として測定される長さである。開口の長さは、バケットの長さの１／２である。
【００２７】
開口の第１側壁６３は連続し、終端壁６１の第１部に一体化されている。第２側壁６４は連続し、終端壁６１の第２部に一体化されている。第１側壁６３及び第２側壁６４は間隔を空けられ、互いに対向している。第１側壁６３は第１円周方向３６に開口を明確にし、第２側壁は第２円周方向３７に開口を明確にする。第１側壁及び第２側壁は第２端６２に向かって内径に延びている。
【００２８】
第２領域５９ａは、第２端６２で、開口１００に開口している。開口は、出口４４、入口３８、バケット３４及び第３溝部開口８２ａ、８２ｂの内径側にあり、開口していない。開口１００は、ポートプレート４０から形成された側壁１０２によって区画されている。第２領域５９ｂは側壁１０２を介して開口１００に開口している。これにより、空気は第１領域５９ａから第２領域へと流動する。第２領域５９ｂでは、空気は第２領域ベース９６ａとハブの軸面９２の間を流動し、開口１００へと流出する。第１領域５９ａ及び第２領域５９ｂは、第１端６０から第２端６２に延び、バケット４２８から開口１００へと空気を方向付ける単一の連続開口を構成する。開口は、ロータシャフト１０６の一部を保持する。
【００２９】
側壁１０２と、側壁１０２に径方向に対向するシャフト１０６の外面との間には開口スペース１００ａがある。スペース１００ａは連続し、側壁に対向するシャフト１０６の一部の周囲に３６０°の範囲で延びている。開口スペース１００ａは、開口１００の第２端６２に開口する第２領域５９ｂからの空気を受け取る。開口スペース１００ａは第２溝部６６を構成する。
【００３０】
側壁１０２は、開口１００の中心軸から方向４２に外径側へと延びるポートプレート４０を介して開口１００ｂを形成する一部を有する。またそれは、開口１００ｂの開口端１００ｂ´を形成する側壁１０２の一部から外径側に延びている。開口１００ｂは切欠き又は細溝と呼ぶことができる。第１溝部５８から開口スペース１００ａ、第２溝部６６に受け取られた空気は、切欠き１００ｂを介して開口スペース１００ａに存在する。空気は、切欠き１００ｂを介して軸方向に、面９２に対向するハブ軸から離れてポンプヘッド１０８に向かって流動する。空気は、切欠き１００ｂを通過した後、ポートプレートの第２対向面７９の一部の周囲を円弧状に移動し、ポンプヘッドから離れてロータハブ８６に向かってバケット５２８内へと軸方向に流動する。スペース１００ａからの通路、特に開口８２ａ、８２ｂを通過する切欠き１００ｂは第３溝部７６である。
【００３１】
ハブの円周内方面９４は、ロータシャフト１０６を保持する開口を構成する。ロータ２２はシャフト１０６に固定されている。ポートプレート４０は、ロータ２２とポンプ１０８の間、特に多数のブレード２４とヘッド１０８の間に位置する。シャフト１０６の回転によりロータ２２が回転する。ロータ２２によって構成されるバケット２８は全て、上述のバケット３２８として回転する。
【００３２】
より詳細には、ロータ２２は平坦面を有するロータである。ロータの平坦面２２ａはポートプレート４０に隣接して対向している。各ブレードは、ロータの平坦面２２ａでは、径方向に延びる面２４ａを有する。その面は、ハブ８６で、ブレードの先端２４ｂからブレード２４ｃの端部まで延びている。各ブレードの面２４ａは、ポンプヘッドに向かって軸方向に対向する軸対向面９２と同一平面である。面２４ａはハブの円周外面８８に直交する。ハブの各ブレード２４ｃの端部は、各ブレードの面２４ａに対して直交している。ブレード２４の端部２４ｃはハブ８６、特にハブ面９２と一体化されている。
【００３３】
圧縮性流体は、この例では空気であり、ヘッド入口４７を介してポンプヘッド１０８に入る。それは入口３８を介して作動チャンバ８０に入る。それは、出口４４を介して作動チャンバ８０に留まる。それは出口４６を介してヘッドに留まる。
【００３４】
ヘッド１０８は、補助入口４７´と、この場合封止された補助出口４６´とを有する。ポートプレートはほぼ平坦である。液体リングポンプが運転速度で動作しているとき、溝部５８、６６、７６はそれぞれ入口及び出口からほぼ封止されている。すなわち、入口及び出口は互いに閉鎖されている。バケットは、溝５８、６６、７６を除き、互いに封止されている。バケット５２８及び４２８は、その位置にあるとき、互いに封止されている。
【００３５】
出口４４は複数の出口領域で構成されている。複数の出口領域は、ポートプレート４０の一部によって互いに分離されている。出口の閉鎖縁４４ａと案内縁４４ｂは半径方向４２及び４３では多数の領域を明確にする。入口３８は複数の入口領域で構成されている。複数の入口領域は、ポートプレート４０の一部によって互いに分離されている。入口の閉鎖縁３８ｂ及び案内縁３８ａは、半径方向４２及び４３の複数の入口領域を明確にする。
【００３６】
ハブの外面８８は内径境界を明確にし、全てのバケット２８の内方境界面を構成する。面８８は円周である。バケットは全て同じである。
【００３７】
用語「外径側」及び「内径側」は、ロータの中心軸と、ポートプレートのシャフト保持開口の中心軸とに対する相対的な用語である。液体リングポンプのある位置すなわち構成は、他の位置すなわち構成の外径側であり、さらに半径方向に測定されるように他の位置よりも中心軸から離れている。用語「案内」及び「後端」は、ロータの回転方向に対する相対的な用語である。これにより、バケットの案内ブレードは、ロータが後端ブレードより前に回転方向４２に回転されるようにある位置を通過するブレードである。「閉鎖縁」及び「案内縁」は、ロータの回転方向に対する相対的な用語である。閉鎖縁は、ブレードが案内縁を通過した後、回転方向に回転するロータブレードが通過した縁である。
【００３８】
本願明細書で記載した全ての特徴（添付の特許請求の範囲、要約書及び図面の全てを含む）、又は、そこに記載される全ての方法又は処理の全ステップは、少なくとも幾つかの特徴又はステップが互いに排他的な組み合わせを除き、いかなる組み合わせとしてもよい。
【００３９】
本発明は、前述の実施形態の詳細に限定されない。本発明は、本願明細書（添付の特許請求の範囲、要約書及び図面の全てを含む）に記載された新規な特徴又はそれらの組み合わせ、あるいは、記載された全ての方法又は処理の新規なステップ又はそれらの組み合わせに及ぶ。
【図１】
2015532966.tif 000003
【図２】
2015532966.tif 000004
【図３】
2015532966.tif 000005
【図４ａ】
2015532966.tif 000006
【図４ｂ】
2015532966.tif 000007
【図４ｃ】
2015532966.tif 000008
【図５】
2015532966.tif 000009
【図６ａ】
2015532966.tif 000010
【図６ｂ】
2015532966.tif 000011
【図７ａ】
2015532966.tif 000012
【図７ｂ】
2015532966.tif 000013
【図７ｃ】
2015532966.tif 000014
【図８】
2015532966.tif 000015
【国際調査報告】
2015532966.tif 000016